(57)【要約】【課題】構造が複雑ではなく、振り出し容器を逆さにして下方に向かって振った際、略一定量の調味料を振り出すことのできる振り出し容器用キャップを提供する。【解決手段】キャップ１のキャップ本体３の天面部６に設けた各振出孔１２は、天面部６の下面から上面に向かって漸次拡開されるテーパ状に開口されているので、振り出し容器２をキャップ１が下方を向くように逆さにして下方に向かって振ると、一定の振り動作に対して略一定量の調味料を振り出すことができる。【選択図】図１
2009029475.tif 000002
【特許請求の範囲】
【請求項１】
調味料の振り出し容器の口部に装着される、天面部に調味料用の複数の振出孔を有するキャップであって、
前記各振出孔は、前記天面部の下面から上面に向かって漸次拡開されるテーパ状の開口であることを特徴とする振り出し容器用キャップ。
【請求項２】
前記キャップの縁部には、該キャップに被冠される蓋体がヒンジ部を介して連結され、前記蓋体の天面部には、前記各振出孔に対応する箇所に設けられ、且つ貫通可能な複数の突起部が形成されていることを特徴とする請求項１に記載の振り出し容器用キャップ。
【請求項３】
前記キャップは、前記振り出し容器の口部に回転自在に遊嵌されていることを特徴とする請求項１に記載の振り出し容器用キャップ。
【発明の詳細な説明】
【技術分野】
【０００１】
本発明は、食卓塩やアジシオ（登録商標）等の調味料が充填される振り出し容器の口部に装着され、複数の振出孔を有するキャップであって、振り出し容器を逆さにして下方に向かって振り、キャップの各振出孔から調味料を振り出す際に、振り出される調味料が常に略一定量となるように工夫、改善された振り出し容器用キャップに関するものである。
【背景技術】
【０００２】
一般に、調味料が充填される振り出し容器の口部に装着されるキャップには、振り出し容器を振ることで調味料を振り出すための円形状の振出孔が複数設けられている。
そして、調味料を振り出す際には、振り出し容器をキャップが下方を向くように逆さにして、下方に向かって数回振ることにより、適量の調味料をキャップの各振出孔から振り出している。
しかしながら、このキャップでは、振り出し容器を下方に向かって振り、調味料をキャップの各振出孔から振り出す際、一定の振り動作に対する調味料の振出量が一定でなく、１回目の振出量とＮ回目の振出量とが違ってくるため、使用者の意図する調味料の量を添加することができず、不都合を生じる虞がある。
【０００３】
そこで、調味料の振出量を常に一定とする従来技術として特許文献１には、容器本体の開口に振出栓を冠着した調味料容器において、振出栓の上部に、振出栓の振出小孔を開閉する為の上蓋を設け、振出栓と容器本体の開口との間に小出収納室を設けるとともに、該小出収納室には容器の外部からの操作により駆動可能なシャッタを設けて、小出収納室と容器本体内とを連通・遮断可能とし、まず、シャッタを回動して小出収納室と容器本体内とを連通させて容器内の調味料を小出収納室内に収納し、次に、再びシャッタを回動して小出収納室と容器本体内とを遮断し、その後、上蓋を開けて容器本体を振れば、小出収納室内の一定量の調味料が振出小孔から外部に振り出されることが記載されている。
【特許文献１】実開平３−８７５号公報
【発明の開示】
【発明が解決しようとする課題】
【０００４】
上述したように、特許文献１の発明では、小出収納室と容器本体内とを連通・遮断可能とするシャッタを設け、シャッタを回動して小出収納室内に一定量の調味料を収納させておき、再びシャッタを回動した後上蓋を開けて容器本体を振れば、小出収納室から一定量の調味料が振出小孔を経て外部に振り出されるようになるが、調味料を数回振り出す場合には、その都度シャッタを回動して調味料を容器本体から小出収納室に収納させなければならず、使用勝手が非常に悪く、使用者に不快感を与えることになる。しかも、キャップの構造も相当複雑であり、製造原価が高いものになり、到底採用できるものではない。
【０００５】
本発明は、かかる点に鑑みてなされたものであり、構造が複雑ではなく、振り出し容器を逆さにして下方に向かって振った際、略一定量の調味料を振り出すことのできる振り出し容器用キャップを提供することを目的とする。
【課題を解決するための手段】
【０００６】
本発明は、上記課題を解決するための手段として、請求項１に記載した発明は、調味料の振り出し容器の口部に装着される、天面部に調味料用の複数の振出孔を有するキャップであって、前記各振出孔は、前記天面部の下面から上面に向かって漸次拡開されるテーパ状の開口であることを特徴とするものである。
従って、請求項１の発明では、振り出し容器をキャップが下方を向くように逆さにして下方に向かって振ると、一定の振り動作、例えば二振り動作に対して略一定量の調味料が振り出され、二振り動作の１回目の振出量とＮ回目の振出量とが常に略一定となる。また、振り動作の後、振り出し容器が逆さの状態のままでも、調味料が各振出孔から落下することはない。これにより、一定の振り動作による振出量を把握していれば、使用者の意図する調味料の量を添加することができる。
【０００７】
請求項２に記載した発明は、請求項１に記載した発明において、前記キャップの縁部には、該キャップに被冠される蓋体がヒンジ部を介して連結され、前記蓋体の天面部には、前記各振出孔に対応する箇所に設けられ、且つ貫通可能な複数の突起部が形成されていることを特徴とするものである。
従って、請求項２の発明では、使用後は、ヒンジ部を折り畳み蓋体をキャップに被冠すれば、蓋体の各突起部がキャップの各振出孔を貫通するので、各振出孔に調味料が目詰まりすることがない。
【０００８】
請求項３に記載した発明は、請求項１に記載した発明において、前記キャップは、前記振り出し容器の口部に回転自在に遊嵌されていることを特徴とするものである。
従って、請求項３の発明では、キャップが振り出し容器の口部に回転自在に遊嵌されて装着される場合もある。
【発明の効果】
【０００９】
本発明の請求項１に記載した発明によれば、キャップの天面部に設けた調味料用の各振出孔は、天面部の下面から上面に向かって漸次拡開されるテーパ状の開口であるので、振り出し容器を、キャップが下方を向くように逆さにして下方に向かって振ると、一定の振り動作に対して略一定量の調味料を振り出すことができる。これにより、一定の振り動作による振出量を把握しておけば、調味料を添加する際、いちいち小さじ等を用いて計量する必要もなく、使用勝手が非常に良くなり、過不足なく調味料を添加することができる。しかも、構造が複雑ではないので、製造原価が高くなることもない。
【００１０】
請求項２に記載した発明によれば、使用後は、蓋体をキャップに被冠すれば、蓋体に設けた各突起部がキャップに設けた各振出孔を貫通するので、各振出孔が調味料により目詰まりすることがなく、常時、略一定量の調味料を各振出孔から振り出すことができる。
【００１１】
請求項３に記載した発明によれば、キャップは、振り出し容器の口部にいろんな形態で装着される。
【発明を実施するための最良の形態】
【００１２】
以下、本発明を実施するための最良の形態を図１〜図５に基いて詳細に説明する。
本発明の実施の形態に係る調味料の振り出し容器用キャップ１は、合成樹脂製で形成され、図１に示すように、例えば、アジシオ（登録商標）の調味料が充填されている振り出し容器２の口部２ａに装着されるものであり、振り出し容器２の口部２ａの外周面に螺着される有底円筒状のキャップ本体３と、該キャップ本体３に被冠される有底円筒状の蓋体４とから構成される。これらキャップ本体３と蓋体４とはヒンジ部５で連結されている。
【００１３】
キャップ本体３は、図１〜図３に示すように、円板状の天面部６と円筒状の胴部７とからなる有底円筒状に形成されている。
キャップ本体３の胴部７の内周面には、図１及び図３に示すように、振り出し容器２の口部２ａの外周面に設けられた雄ねじ部２ｂに螺着される雌ねじ部８が形成されている。また、この胴部７から上方に連続して、ヒンジ部５を境にしてその上側には円筒状の係合筒部１０が形成されている。この係合筒部１０の環状上端部に天面部６が接続されている。この係合筒部１０の外周面には係合突条１１が一条形成されている。また、胴部７のヒンジ部５側とは反対側の外周面には、所定の周範囲（蓋体４の指掛け片１７が突設される周範囲）において、その上端から下方に向かう所定範囲で凹設１４されている。
【００１４】
キャップ本体３の天面部６には、図２に示すように、振り出し容器２内の調味料を外部に振り出す振出孔１２が複数設けられている。本実施の形態では、各振出孔１２は、全部で７個形成されており、その配置は、天面部６の略中央に１個で、その周りに、円状でそれぞれ６０°ピッチで６個配置されている。
この配置は、一般に良くある、振り出し容器２を傾けたときに下方に各振出孔１２が位置できるようにした配置で、傾けた角度により吐出させる振出孔１２の数を制限でき、より振出量のコントロールをしやすくするためと、振出孔１２同士の干渉により吐出の制止が妨げられることを避けるためである。
なお、本実施の形態では、各振出孔１２の各中心を結ぶ円形の径ａは、φ１４ｍｍに設定され、隣接する振出孔１２の間隔ｅは７ｍｍに設定されている。
各振出孔１２は、図２及び図４(ａ)から良く解るように、上面視円形で、天面部６の下面から上面に向かって漸次拡開されるテーパ状に開口されている。本実施の形態では、各振出孔１２は、上端開口径Ａがφ２．６ｍｍに設定されると共に、下端開口径Ｂがφ２．４ｍｍに設定され、天面部６の厚みが１．５ｍｍであり、そのテーパ角度θが振出孔１２の中心線Ｏと平行な線ｆに対して約３．８°に設定されている。そこで、アジシオ（登録商標）の平均粒径は、８５０μｍ以下であり、各振出孔１２の下端開口径Ｂはアジシオ（登録商標）の粒径に対して３倍以下に設定される。なお、この比率は、粒径に比例するが、小さくするので有れば、略一定量の流量が確保できるが、大きくし過ぎると、流出が止まらなくなる。
なお、各振出孔１２は、製造誤差により、テーパ角度θが中心線Ｏと平行な線ｆに対して０°（振出孔１２の内周面が天面部６の上面または下面に対して直角）に限りなく近く形成されても良く、天面部６の下面から上面に向かって漸次縮小されるように開口されなければ良い。また、各振出孔１２は、図４（ｂ）に示すように、製造誤差により、その内周面が湾曲状に凹んだ形態でも良い。さらに、各振出孔１２は、図４（ｃ）に示すように、湾曲された天面部６に形成される場合もある。
また、図１〜図３に示すように、キャップ本体３の係合筒部１０の内方には、振り出し容器２の口部２ａに装着された際、口部２ａの上端面に下端面が密着する密着筒部１３が係合筒部１０と同心円状に天面部６の下面から垂設されている。
【００１５】
蓋体４は、図１〜図３に示すように、円板状の天面部１５と円筒状の胴部１６とからなる有底円筒状に形成されている。
蓋体４の胴部１６の下端内周面には、図１及び図３に示すように、キャップ本体３に被冠された際、キャップ本体３の係合筒部１０の外周面に設けた係合突条１１に係合される係合突条１８が形成されている。また、胴部１６のヒンジ部５側と反対側の外周面には、所定の周範囲で指掛け片１７が外方に向かって突設されている。なお、この指掛け片１７の下面で外側の略全周縁には、使用者が指掛け片１７に指を掛けた際の滑り止めとして、下方に向かって僅かに突起する突起片１７ａが形成されている。
【００１６】
蓋体４の天面部１５の下面には、図１及び図３に示すように、キャップ本体３に蓋体４が被冠された際、キャップ本体３の天面部６に設けた各振出孔１２に貫通可能な複数の軸状突起部１９が垂設されている。各軸状突起部１９は、キャップ本体４の天面部６の厚さよりも長く形成されており、その基端部の外径が振出孔１２の上端開口径Ａよりも小径で、その最先端部の外径が振出孔１２の下端開口径Ｂよりも小径に設定されている。また、各軸状突起部１９は、その基端部から高さ方向略中間部位までの範囲において所定角度（本実施の形態では軸線に対して５°）で先細りとなるテーパ状に形成され、さらに略中間部位から先端部までの範囲においてはさらに大きな角度（本実施の形態では軸線に対して３０°）で先細りとなるテーパ状に形成され、最先端部は平担面に形成されている。
【００１７】
そして、本キャップ１を、そのキャップ本体３を振り出し容器２の口部２ａの外周面に螺着して装着し、調味料を使用する際には、蓋体４を開け、振り出し容器２をキャップ１が下方に向くように逆さにして振る。
すると、一定の振り動作、例えば二振り動作に対して略一定量の調味料が振り出され、二振り動作の１回目の振出量とＮ回目の振出量とが常に略一定となる。また、振り動作の後、振り出し容器２が逆さの状態のままであっても各振出孔１２から調味料が落下することはない。
【００１８】
なお、本実施の形態では、各振出孔１２は、天面部６の下面から上面に向かって漸次拡開されるテーパ状の開口であるが、公知の振出孔にあっては、天面部６の下面から上面に向かって漸次縮小するテーパ状の開口、または開口壁が天面部６に対して垂直方向に延びる開口に形成されてあり、この振出孔を有するキャップを装着した振り出し容器２を逆さにして振った場合には、その振り動作に対して、調味料の粒子が各振出孔１２で整流され制止されることが無い。そのため、振り出し動作によって一定量の振り出しを規制することが難しい。
しかしながら、本実施の形態では、各振出孔１２は、天面部６の下面から上面に向かって漸次拡開されるテーパ状の開口であるため、各振出孔１２を粒子が通ろうとしたときに拡散する方向に力が働き、粒子同士がぶつかり軽く詰まったような状態になり、粒子の流出が止まる。そして、振り動作を繰り返すことにより、この流出・制止が繰り返されることになるので、何回振れば、何グラムという略定量の供給が可能となる。
【００１９】
そこで、表１及び表２には、従来の、開口壁が天面部６に対して垂直方向に延びる各振出孔と、本発明の実施の形態に係る振り出し容器用キャップ１に設けた、天面部６の下面から上面に向かって漸次拡開されるテーパ状に開口される各振出孔１２とにおいて、一定の振り動作に対する各振出孔からのアジシオ（登録商標）の振出量を比較した結果を示している。
表１は、６０ｇ瓶の振り出し容器２にアジシオ（登録商標）を入れ、二振り動作によるアジシオ（登録商標）の振出量を１０回測定した結果を示している。
【表１】
2009029475.tif 000003
この結果からも、本発明の、天面部６の下面から上面に向かって漸次拡開されるテーパ状に開口される各振出孔１２の方が従来の振出孔よりも標準偏差（バラツキ）が小さく、本発明の各振出孔１２では、一定の振り動作に対して略一定の振出量になることが解る。
また、表２は、１１０ｇ瓶の振り出し容器２にアジシオ（登録商標）を入れ、二振り動作によるアジシオ（登録商標）の振出量を１０回測定した結果を示している。
【表２】
2009029475.tif 000004
この結果においても、本発明の、天面部６の下面から上面に向かって漸次拡開されるテーパ状に開口される各振出孔１２の方が従来の振出孔よりも標準偏差（バラツキ）が小さく、本発明の各振出孔１２では、一定の振り動作に対して略一定の振出量になることが解る。
【００２０】
以上説明したように、本発明の実施の形態に係るキャップ１によれば、キャップ本体３の天面部６に設けた各振出孔１２は、円形で、天面部６の下面から上面に向かって漸次拡開されるテーパ状の開口であるので、蓋体４を開き、振り出し容器２をキャップ１が下方を向くように逆さにして下方に向かって振ると、一定の振り動作に対して略一定量の調味料を振り出すことができ、１回目の振出量とＮ回目の振出量とを常に略一定にすることができる。
これにより、一定の振り動作による振出量を把握しておけば、調味料を添加する際、いちいち小さじ等を用いて計量しなくても良く手間が省け、非常に便利である。また、キャップ１の構造も、キャップ本体３の天面部６に上述したようなテーパ状に開口された各振出孔１２を設けているだけで複雑ではないので、製造原価が高くなることもない。
【００２１】
しかも、本発明の実施の形態に係るキャップ１は、蓋体４がキャップ本体３に被冠された状態では、蓋体４の天面部１５に設けた各軸状突起部１９が、キャップ本体３の天面部６に設けた各振出孔１２を貫通するので、調味料によって各振出孔１２が目詰まりすることがなく、常時、略一定量の調味料を振り出すことができる。
【００２２】
なお、本発明の実施の形態に係るキャップ１では、キャップ本体３にヒンジ部５を介して蓋体４が連結されているが、保管環境等が良ければ、振り出し容器２の口部２ａにキャップ本体３だけを装着し、必ずしも蓋体４を設ける必要はない。
また、本発明の実施の形態のキャップ１では、蓋体４の天面部１５に、各振出孔１２の目詰まり防止として各軸状突起部１９を設けているが、蓋体４を軸状突起部１９を設けない構成として、蓋体４の天面部１５でキャップ本体３の天面部６に設けた各振出孔１２を覆うだけの構成でもよい。
【００２３】
さらに、本発明の実施の形態に係るキャップ１のキャップ本体３は、図５に示すように、振り出し容器２の口部２ａの外周面に回転自在に遊嵌されて装着される場合もある。この形態の場合には、蓋体４を別体として設け、閉栓する場合は、蓋体４をキャップ本体３に被せて、蓋体４を回転させれば、蓋体４の各軸状突起部１９がキャップ本体３の各振出孔１２にそれぞれ貫通されると共に、蓋体４の胴部１６の内周面に設けた雌ねじ部１６ａが、振り出し容器２の口部２ａの外周面に設けた雄ねじ部２ｂに螺着されて、蓋体４がキャップ本体３に被冠される。
【図面の簡単な説明】
【００２４】
【図１】図１は、本発明の実施の形態に係るキャップの断面図である。
【図２】図２は、本発明の実施の形態に係るキャップで蓋体が開いた状態の平面図である。
【図３】図３は、図２のＣ−Ｃ線に沿う断面図である。
【図４】図４は、振出孔の拡大図である。
【図５】図５は、本発明の実施の形態に係るキャップの振り出し容器の口部への装着に係る他の実施形態を示す断面図である。
【符号の説明】
【００２５】
１  キャップ，２  振り出し容器，２ａ  口部，３  キャップ本体，４  蓋体，５  ヒンジ部，６  天面部，１２  振出孔，１９  軸状突起部
【図１】
2009029475.tif 000005
【図２】
2009029475.tif 000006
【図３】
2009029475.tif 000007
【図４】
2009029475.tif 000008
【図５】
2009029475.tif 000009